(57)【特許請求の範囲】
【請求項１】
義歯床に配設され磁気吸引力を発揮する磁石装置と、支台に配設される軟磁性材料よりなるキーパとからなり、上記磁石装置に設けられた吸着面と上記キーパに設けられた被吸着面とを当接させることにより両者が磁気吸引力によって互いに吸着するよう構成された義歯アタッチメントにおいて、
上記磁石装置は、永久磁石を内蔵し、上記吸着面を先端に有すると共に外形状が円筒状を呈する円筒部と、該円筒部の後端において径方向外方に突出するつば部とを有してなり、
上記円筒部には、その先端側から円筒状を呈する可撓性のスリーブが装着されており、
該スリーブは、その外周面に径方向外方に突出あるいは径方向内方に窪む外周凹凸部を有すると共に、軸方向長さが上記円筒部よりも長く、該スリーブの一端部を上記つば部に当接させた状態において他端部が上記吸着面よりも突出し、当該スリーブと上記吸着面とによって囲まれるキーパ収容凹部を形成し、
かつ、上記スリーブは、上記磁石装置の軸方向に相対移動させることにより上記円筒部の先端から抜き差し可能に構成されており、
上記磁石装置は、上記スリーブを装着した状態で、該スリーブの上記外周凹凸部及び上記スリーブの上記一端部に当接する上記つば部とを含む外側面を上記義歯床内に埋設すると共に上記キーパ収容凹部を露出させた状態で使用するよう構成されていることを特徴とする義歯アタッチメント。
【請求項２】
請求項１の記載において、上記磁石装置の上記円筒部は、その先端外周部において上記吸着面に近づくにつれて縮径するよう形成されたテーパ部を有し、上記スリーブは、上記一端部の内周角部に面取り部を有することを特徴とする義歯アタッチメント。
【請求項３】
請求項１又は２の記載において、上記キーパの外径寸法は上記円筒部の外径寸法よりも大きく、上記スリーブは、上記一端部を上記つば部に当接させた状態において上記円筒部の外周面を覆う基部と、上記キーパ収容凹部を形成する突出部とを備えると共に、該突出部の内径寸法が上記基部の内径寸法よりも大きいことを特徴とする義歯アタッチメント。
【請求項４】
請求項１〜３のいずれか１項の記載において、上記キーパは、顎骨に埋設されるインプラントの先端に配設されていることを特徴とする義歯アタッチメント。
【発明の詳細な説明】
【技術分野】
【０００１】
本発明は、磁気吸引力を利用して義歯を配設するために用いられる義歯アタッチメントに関する。
【背景技術】
【０００２】
歯科治療においては、義歯の着脱が容易であるという観点から、例えば特許文献１に開示されているように、磁気吸引力を利用する義歯アタッチメントが種々提案されている。義歯アタッチメントは、義歯を固定してなる義歯床に配設され磁石吸引力を発揮する磁石装置と、支台（残歯もしくはインプラント）に配設される軟磁性材料よりなるキーパとから構成される。
【先行技術文献】
【特許文献】
【０００３】
【特許文献１】特開平７−１３６１９０号公報
【特許文献２】特開２００１−３２１３９３号公報
【発明の概要】
【発明が解決しようとする課題】
【０００４】
磁気吸引力を利用した義歯アタッチメント（以下、適宜、磁性アタッチメントという）は、着脱が非常に容易であると共に、磁石装置とキーパの当接面（吸着面と被吸着面）において若干の横滑りが許容される。そのため、キーパを保持している支台に付与される側方力を逃がして支台を保護することができる。特に、近年普及が拡大しているインプラントに対応した磁性アタッチメントにおいては、インプラントに付与される側方力を緩和できるため、インプラントの必要本数を減らすことも可能となる。
【０００５】
一方、磁石装置とキーパとの横滑りは、義歯が比較的容易に外れてしまうことにつながる場合がある。これは、側方力がある程度大きいと、横滑りすると共に両者の当接面が斜めに引き剥がされる方向に相対的に回転するような力がかかるためと考えられる。この対策としては、磁石装置とキーパとが横ずれや相対的な回転が生じないように両者を嵌め合う形状に変更することが考えられる。
【０００６】
例えば特許文献２の図１に示されているように、磁石構造体の周囲に非磁性金属よりなるガイドリングを溶接固定しておき、このガイドリングとキーパの凸部とを嵌め合わせる構造が提案されている。また、同文献の図７に示されているように、キーパ側に凸部を設け、磁石構造体側にこの凸部を収容する凹部を設けて両者を嵌め合わせる構造がある。
しかし、これらの場合には、磁石装置とキーパとの横滑りが許容されなくなり、磁性アタッチメント特有の側方力緩和効果がほとんど生じなくなってしまうため、支台の状態が非常によい症例にしか適用されてこなかった。
【０００７】
本発明は、かかる問題点に鑑みてなされたもので、磁性アタッチメント特有の側方力緩和効果と義歯外れ抑制効果の両方を発揮しうる義歯アタッチメントを提供しようとするものである。
【課題を解決するための手段】
【０００８】
本発明は、義歯床に配設され磁気吸引力を発揮する磁石装置と、支台に配設される軟磁性材料よりなるキーパとからなり、上記磁石装置に設けられた吸着面と上記キーパに設けられた被吸着面とを当接させることにより両者が磁気吸引力によって互いに吸着するよう構成された義歯アタッチメントにおいて、
上記磁石装置は、永久磁石を内蔵し、上記吸着面を先端に有すると共に外形状が円筒状を呈する円筒部と、該円筒部の後端において径方向外方に突出するつば部とを有してなり、
上記円筒部には、その先端側から円筒状を呈する可撓性のスリーブが装着されており、
該スリーブは、その外周面に径方向外方に突出あるいは径方向内方に窪む外周凹凸部を有すると共に、軸方向長さが上記円筒部よりも長く、該スリーブの一端部を上記つば部に当接させた状態において他端部が上記吸着面よりも突出し、当該スリーブと上記吸着面とによって囲まれるキーパ収容凹部を形成し、
かつ、上記スリーブは、上記磁石装置の軸方向に相対移動させることにより上記円筒部の先端から抜き差し可能に構成されており、
上記磁石装置は、上記スリーブを装着した状態で、該スリーブの上記外周凹凸部及び上記スリーブの上記一端部に当接する上記つば部とを含む外側面を上記義歯床内に埋設すると共に上記キーパ収容凹部を露出させた状態で使用するよう構成されていることを特徴とする義歯アタッチメントにある（請求項１）。
【発明の効果】
【０００９】
本発明の義歯アタッチメントにおける磁石装置は、使用時には、上記円筒部に可撓性のスリーブを装着した状態で義歯の義歯床内に埋設される。そして、上記スリーブと上記吸着面とによって囲まれる上記キーパ収容凹部に、上記キーパが収容され、円筒部の先端の吸着面とキーパの被吸着面とが当接して磁気吸引力による吸着状態が得られる。この状態においては、上記スリーブがキーパの外周側面を取り囲んだ状態となる。
【００１０】
ここで、上記スリーブは、可撓性の材質よりなる。そのため、義歯に対して側方力が付与された場合には、スリーブとキーパとの間のクリアランス分及びスリーブが弾性変形する範囲内で磁石装置とキーパとの横滑りが許容され、側方力緩和効果が発揮される。
一方、上記キーパと磁石装置との当接面（吸着面と被吸着面）の間を斜めに引き剥がす方向に相対的な回転力が生じても、上記キーパの外周側面を取り囲む上記スリーブがこの動きを阻止する。そのため、義歯外れが従来よりも抑制される。
【００１１】
また、上記磁石装置及びキーパは金属製であり、基本的に半永久的な使用が可能であるが、上記スリーブは可撓性を有する材質（樹脂あるいはゴムなど）であり、摩耗や劣化の可能性がある。そのため、上記スリーブは定期的に新しいものに交換することが好ましい。上記スリーブは、上記のごとく、上記磁石装置の軸方向に相対移動させることにより上記円筒部の先端から抜き差し可能に構成されている。そのため、特に技工士に委ねることなく、歯科医師が治療現場において容易にスリーブの交換作業を行うことが可能である。なお、スリーブ交換作業を実施するためには、上記磁石装置を義歯床から抜き出すことが必要であるが、これは、歯科治療の一環である定期的な義歯床の調整時に併せて行うことができる。
【００１２】
また、上記のごとく、上記磁石装置とスリーブは、これら単体ではスリーブの抜き差しが可能である。一方、義歯床に埋設させた状態では、スリーブの上記外周凹凸部が義歯床内においてアンダーカット部の役割を果たして、義歯床内にスリーブが固定され、さらに、スリーブの一端が磁石装置の上記つば部に当接していることで、このつば部がスリーブと義歯床に挟持された状態となる。そのため、磁石装置とスリーブとは、一体となった状態で義歯床内に固定され、使用中にスリーブあるいは磁石装置が義歯床から脱落することはない。
【００１３】
このように、本発明の義歯アタッチメントは、可撓性のスリーブの特性を活かして側方力緩和効果と義歯外れ抑制効果とを発揮し、かつ、その性能を維持するためのスリーブの交換を歯科の治療現場で容易に行うことができる優れた構造を有するものである。
【図面の簡単な説明】
【００１４】
【図１】実施例１における、磁石装置とキーパとを離した状態で義歯アタッチメントの構造を示す説明図。
【図２】実施例１における、磁石装置とキーパとを合体させた状態で義歯アタッチメントの構造を示す説明図。
【図３】実施例１における、磁石装置の正面図。
【図４】実施例１における、磁石装置の平面図（図３の矢印Ａ視平面図）。
【図５】実施例１における、磁石装置の断面図（図４のＢ−Ｂ線矢視断面図）。
【図６】実施例１における、スリーブの正面図。
【図７】実施例１における、スリーブの平面図（図６の矢印Ｃ視平面図）。
【図８】実施例１における、スリーブの断面図（図７のＤ−Ｄ線矢視断面図）。
【図９】実施例１における、義歯床から磁石装置を掘り出す方法を示す説明図。
【図１０】実施例１における、磁石装置とスリーブとを分離する方法示す説明図。
【図１１】実施例１における、磁石装置に新しいスリーブを装着する方法を示す説明図。
【図１２】実施例１における、スリーブを装着した磁石装置を義歯床内に埋設する方法を示す説明図。
【図１３】実施例１における、義歯の形態の一例を示す説明図。
【発明を実施するための形態】
【００１５】
本発明の義歯アタッチメントにおける上記スリーブは、樹脂あるいはゴムなどの可撓性を有する公知の材料によって構成することができる。例えば、ＰＯＭ（ポリアセタール）などを使用することができる。
【００１６】
また、上記スリーブの上記外周凹凸部は、様々な形態を取ることができる。例えば、径方向外方に突出するつば状部や、径方向内方に窪む溝状部や、これらを組み合わせた形態などがある。
【００１７】
また、上記磁石装置の上記円筒部は、その先端外周部において上記吸着面に近づくにつれて縮径するよう形成されたテーパ部を有し、上記スリーブは、上記一端部の内周角部に面取り部を有することが好ましい（請求項２）。この場合には、上記テーパ部及び面取り部の存在によって、スリーブを円筒部に装着する作業をより容易にすることができる。
【００１８】
また、上記キーパの外径寸法は上記円筒部の外径寸法よりも大きく、上記スリーブは、上記一端部を上記つば部に当接させた状態において上記円筒部の外周面を覆う基部と、上記キーパ収容凹部を形成する突出部とを備えると共に、該突出部の内径寸法が上記基部の内径寸法よりも大きいことが好ましい（請求項３）。この場合には、磁石装置の吸着面の全面を容易にキーパの被吸着面に当接させる構成を実現することができ、かつ、磁石装置とキーパとの横滑りが生じても吸着力が落ちにくくなるという効果が得られる。
【００１９】
また、上記スリーブの上記基部の内径は、上記磁石装置における上記円筒部の外径に対して適度な押圧力で圧入できる寸法に調整することが好ましい。例えば、圧入代として内径差０．０１〜０．３ｍｍ程度を設けることが好ましい。
なお、圧入代無しあるいは若干のクリアランスを設けたとしても、表面の摩擦力等によって基部とスリーブの係合状態が維持できれば、特に圧入の構成にこだわらなくてもよい。
また、上記スリーブの上記突出部の内径は、上記キーパの外径に対応して、最低限のクリアランスを設けた寸法に調整することが好ましい。例えば、クリアランスとしては、０．０５〜１．０ｍｍ程度設けることが好ましい。
【００２０】
また、上記キーパは、顎骨に埋設されるインプラントの先端に配設されていることが好ましい（請求項４）。この場合には、インプラントに付与される側方力を緩和する効果が得られるため、インプラントの保護や、必要数の低減などに有効である。
【実施例】
【００２１】
（実施例１）
本発明の実施例にかかる義歯アタッチメントにつき、図１〜図１２を用いて説明する。
本例の義歯アタッチメント１は、図１、図２に示すごとく、義歯８１の義歯床８２に配設され磁気吸引力を発揮する磁石装置２と、支台としてのインプラント８３に配設される軟磁性材料よりなるキーパ３とからなる。磁石装置２に設けられた吸着面２５とキーパ３に設けられた被吸着面３５とを当接させることにより両者が磁気吸引力によって互いに吸着するよう構成されている。
【００２２】
図１〜図５に示すごとく、磁石装置２は、永久磁石２１を内蔵し、吸着面２５を先端に有すると共に外形状が円筒状を呈する円筒部２２と、円筒部２２の後端において径方向外方に突出するつば部２３とを有してなる。
円筒部２２には、その先端側から円筒状を呈する可撓性のスリーブ４が装着されている。スリーブ４は、その外周面に径方向外方に突出あるいは径方向内方に窪む外周凹凸部４４を有すると共に、軸方向長さが円筒部２２よりも長く、スリーブ４の一端部４１をつば部２３に当接させた状態において他端部４２が吸着面２５よりも突出し、当該スリーブ４と吸着面２５とによって囲まれるキーパ収容凹部４９を形成する。
【００２３】
スリーブ４は、磁石装置２の軸方向に相対移動させることにより円筒部２２の先端から抜き差し可能に構成されている。
そして、同図に示すごとく、磁石装置２は、スリーブ４を装着した状態で、スリーブ４の外周凹凸部４４及びスリーブ４の一端部４１に当接するつば部２３とを含む外側面を義歯床８２内に埋設すると共にキーパ収容凹部４９を露出させた状態で使用するよう構成されている。
以下、さらに詳説する。
【００２４】
磁石装置２は、図３〜図５に示すごとく、磁気吸引力を発揮する永久磁石２１を収容するための凹部２１０を有する軟磁性材料よりなるヨーク２０と、凹部２１０に永久磁石２１を収容した状態で凹部２１０の開口部を塞ぐようにヨーク２０に接合された軟磁性材料よりなるディスク２８とを有してなる。ディスク２８とヨーク２０とは、溶接部２９において溶接することにより接合されている。
【００２５】
ヨーク２０は、全体が概略円盤形状を呈していると共に、上記円筒部２２とその後端において径方向外方に突出するつば部２３を有している。本例では、図４に示すごとく、つば部２３の外形状を楕円形状とした。つば部２３の突出量は、楕円形状の長径部に相当する部分において０．２５ｍｍ、短径部に相当する部分において０．０５ｍｍである。この楕円形状は、義歯床８２内に埋設した際に磁石装置３が周方向に回転することを防止するためのものである。
【００２６】
また、円筒部２２は、スリーブ４を装着する部分が外径一定のストレート形状を呈していると共に、その先端外周部において吸着面２５に近づくにつれて縮径するよう形成されたテーパ部２２１を有する。このテーパ部２２１は、後述するスリーブ４の面取り部４１２と相俟って、磁石装置２の円筒部２２へのスリーブ４の装着が容易となるようにするためのものである。
【００２７】
また、ヨーク２０は、軟磁性材料である１９Ｃｒ−２Ｍｏ−０．２Ｔｉ−Ｆｅを用い、これを切削加工することにより作製した。また、ディスク２８は、軟磁性材料である１９Ｃｒ−２Ｍｏ−０．２Ｔｉ−Ｆｅよりなる円板を用いた。一方、溶接部２９は非磁性体からなる。
【００２８】
次に、図６〜図８に示すごとく、スリーブ４は、全体形状が略円筒状を呈しており、円筒部２２に装着した際に、円筒部２２の外周面を覆う基部４０１と、上記キーパ収容凹部４９を形成する突出部４０３とを備えている。突出部４０３の内径寸法は、基部４０１の内径寸法よりも大きく構成してある。これは、キーパ３の外径寸法が磁石装置２の円筒部２２の外径寸法よりも大きいことに対応している。そして、基部４０１と突出部４０３との間には、徐々に外径及び内径が変化するスリーブテーパ部４０２が形成されている。
【００２９】
また、スリーブ４の基部４０１を円筒部２２に装着した際につば部２３に当接する一端部４１の外周面には、径方向外方に突出するスリーブつば部４１１が形成されている。そして、このスリーブつば部４１１と上記スリーブテーパ部４０２の径方向の寸法変化によって外周凹凸部４４が形成されている。
【００３０】
また、スリーブ４の一端部４１の内周角部には、面取り部４１２を設けた。これは、前述した円筒部２２のテーパ部２２１と相俟って、磁石装置２の円筒部２２へのスリーブ４の装着が容易となるようにするためのものである。また、スリーブつば部４１１には、その周方向２箇所において、円弧を直線状に取り除いた切り欠き部４１６を設けた。これは、後述するように歯科用レジンの流れをスムーズにするための工夫である。また、スリーブ４の基部４０１の内径は、圧入代０．０７ｍｍを考慮して４．３３ｍｍφに設定した。
【００３１】
さらに、スリーブ４の突出部４０３の先端には、２箇所において径方向に貫通する溝部４１７を設けた。この溝部４１７に、歯科用レジンを流れ込ませて固化させることで、義歯床８２内においてスリーブ４が周方向に回転することを確実に防止することができる。溝部４１７は、周方向どの位置に設けてもよく、また、数も１つでもよいし複数でもよい。また、切り欠き部４１６も溝部４１７と同様の回転防止効果を発揮する。なお、本例では、溝部４１７と切り欠き部４１６の周方向の配設位置を同じ位置に設定したが、両者の周方向位置がずれていてもよい。
また、スリーブ４は、ＰＯＭ（ポリアセタール）を用いて成形した。
【００３２】
また、図１、図２に示すごとく、本例では、歯骨８４に埋設したインプラント８３を支台として採用し、このインプラント８３に軟磁性材料よりなるキーパ３を配設した。キーパ３の外径は４．７５ｍｍφに設定した。一方、スリーブ４の突出部４０３の内径は５．１３ｍｍφとし、キーパ３との間に０．３８ｍｍのクリアランスを設けた。
【００３３】
次に、本例の義歯アタッチメント１の作用効果について説明する。
図１、図２に示すごとく、義歯アタッチメント１における磁石装置２は、使用時には、円筒部２２に可撓性のスリーブ４を装着した状態で義歯の義歯床８２内に埋設される。そして、スリーブ４と吸着面２５とによって囲まれるキーパ収容凹部４９に、キーパ３が収容され、円筒部２２の先端の吸着面２５とキーパ３の被吸着面３５とが当接して磁気吸引力による吸着状態が得られる。この状態においては、上記スリーブがキーパの外周側面を取り囲んだ状態となる（図２）。
【００３４】
ここで、スリーブ４は、可撓性の材質よりなる。そのため、義歯８１に対して側方力が付与された場合には、スリーブ４とキーパ３との間のクリアランス分及びスリーブ４が弾性変形する範囲内で磁石装置２とキーパ３との横滑りが許容され、側方力緩和効果が発揮される。
一方、キーパ３と磁石装置２との当接面（吸着面２５と被吸着面３５）の間を斜めに引き剥がす方向に相対的な回転力が生じたとしても、キーパ３の外周側面を取り囲むスリーブ４がこの動きを阻止する。そのため、義歯外れが従来よりも抑制される。
【００３５】
次に、磁石装置２及びキーパ３は金属製であり、半永久的な使用が可能であるが、スリーブ４は可撓性を有する樹脂材料であるため、摩耗や劣化の可能性がある。そのため、スリーブ４は定期的に新しいものに交換することが好ましい。スリーブ４は、磁石装置２の円筒部２２の軸方向に相対移動させることにより円筒部２２の先端から抜き差し可能に構成されている。そのため、特に技工士に委ねることなく、歯科医師が治療現場において容易にスリーブ４の交換作業を行うことが可能である。なお、スリーブ交換作業を実施するためには、上記磁石装置を義歯床から抜き出すことが必要であるが、これは、歯科治療の一環である定期的な義歯床の調整（リベース）を行う際に併せて行うことができる。
【００３６】
このスリーブ４の交換作業は、次のように行うことができる。
図９に示すごとく、歯科治療の現場において、義歯８１の裏側から歯科用工具９１等を用いて義歯床の一部を削る。例えば、破線Ａに沿った範囲を削ってスリーブ４を装着した磁石装置２を掘り出す。
【００３７】
次に、図１０に示すごとく、別途準備する把持治具９２により、掘り出した磁石装置２に装着されたスリーブ４の外周面を把持する。そして、スリーブ４の内径よりも細い棒材９３によって磁石装置２の吸着面２５を軸方向に押す。これにより、磁石装置２がスリーブ４から抜け出て、簡単に両者を分離することができる。分離されたスリーブ４は廃棄する。
【００３８】
次に、図１１に示すごとく、洗浄殺菌等の処理を終えた磁石装置２を、吸着面２５を上に向けた状態で載置台９４上に載置する。そして、治具９５によって保持した新しいスリーブ４を磁石装置２の円筒部２２の軸方向に移動させて、一端部４１から円筒部２２に圧入する。一端部４１をつば部２３に当接させることにより、スリーブ４の装着作業が完了する。
【００３９】
次に、スリーブ４を装着した磁石装置２を義歯８１の義歯床８２に埋設する作業を行う。図１２に示すごとく、スリーブ４を装着した磁石装置２の吸着面２５を、口腔内のインプラント８３に配設された既存のキーパ３の被吸着面３５と当接させ、両者を磁気吸引力によって合体させる。これにより、同図に示すごとく、スリーブ４を装着した磁石装置２とキーパ３とは、実使用している状態と同じ係合状態となる。
【００４０】
一方、同図に示すごとく、義歯８１の義歯床８２において先に磁石装置２を掘り出した跡の穴の中に、歯科用レジン８８を注入しておく。そして、義歯８１を磁石装置２に被せ、磁石装置２を義歯床８２の穴の中に挿入し、歯科用レジン８８を磁石装置２及びスリーブ４の周りに行き渡せる。このとき、スリーブ４のスリーブつば部４１１には、周方向２箇所に上述した切り欠き部４１６を設けてあるので、歯科用レジン８８の流動をスムーズにすることができる。
歯科用レジン８８の硬化によって、義歯８１におけるリベースが完了する。
なお、新品の義歯８１の義歯床８２に磁石装置２を配置する場合も、上述した方法とほぼ同様の方法により行う。
【００４１】
得られた義歯８１においては、図１、図２に示すごとく、スリーブ４の外周凹凸部４４が義歯床内においてアンダーカット部の役割を果たして、義歯床８２内にスリーブ４が固定される。さらに、スリーブ４の一端部４１が磁石装置２のつば部２３に当接していることで、このつば部２３がスリーブ４と義歯床８２に挟持された状態となる。そのため、磁石装置２とスリーブ３とは、一体となった状態で義歯床８２内に固定され、使用中にスリーブ４あるいは磁石装置２が義歯床８２から脱落することはない。
【００４２】
図１３には、本例の義歯アタッチメント１を採用した義歯８１の一例を示す。口腔内には、インプラントに配設されたキーパ３が２箇所に配設される。義歯８１は、このキーパ３の位置に対応する位置に、スリーブ４を装着した磁石装置２を埋設させたものとなる。なお、義歯８１の形態は、公知の様々な形態に変えることができる。
【００４３】
以上のように、本例の義歯アタッチメント１は、可撓性のスリーブ４の特性を活かして側方力緩和効果と義歯外れ抑制効果とを発揮し、かつ、その性能を維持するためのスリーブの交換を歯科の治療現場で容易に行うことができる優れた構造を有するものである。
【符号の説明】
【００４４】
１  義歯アタッチメント
２  磁石装置
２２  円筒部
２３  つば部
２５  吸着面
３  キーパ
３５  被吸着面
４  スリーブ
４１  一端部
４１１  スリーブつば部
４２  他端部
４４  外周凹凸部
８１  義歯
８２  義歯床
８３  インプラント（支台）
【図１】
0005408019.tif 000002
【図２】
0005408019.tif 000003
【図３】
0005408019.tif 000004
【図４】
0005408019.tif 000005
【図５】
0005408019.tif 000006
【図６】
0005408019.tif 000007
【図７】
0005408019.tif 000008
【図８】
0005408019.tif 000009
【図９】
0005408019.tif 000010
【図１０】
0005408019.tif 000011
【図１１】
0005408019.tif 000012
【図１２】
0005408019.tif 000013
【図１３】
0005408019.tif 000014